(57)【特許請求の範囲】
【請求項１】
インストルメントパネルロアと、このインストルメントパネルロアの上側に被せて溶着されるインストルメントパネルアッパとを備え、
前記インストルメントパネルロアの上面左右に、スピーカ用凹部が形成されているとともに、このスピーカ用凹部に沿ってダクト用溝が形成され、
前記インストルメントパネルアッパにおいて前記スピーカ用凹部の上方位置にスピーカ用開口部が開口され、
前記インストルメントパネルロアの前記スピーカ用凹部の周囲が全周に亘って前記インストルメントパネルアッパに溶着されて共鳴ボックス部が形成されているとともに、前記ダクト用溝の周囲と前記インストルメントパネルアッパとが溶着されて閉断面形状のサイドデフダクトが形成され、
前記共鳴ボックス部において、インストルメントパネルアッパとインストルメントパネルロアのいずれかにスピーカが固定されていることを特徴とするインストルメントパネル。
【請求項２】
前記スピーカを上方から覆うスピーカグリルが設けられ、このスピーカグリルには、インストルメントパネルアッパに形成された係合穴と係合する係合爪が形成され、前記スピーカの外周部には、前記係合爪を挿通させる挿通穴が形成され、前記スピーカが、前記係合爪を挿通穴に挿通させてスピーカグリルと共締め状態でインストルメントパネルアッパに固定されていることを特徴とする請求項１記載のインストルメントパネル。
【発明の詳細な説明】
【０００１】
【発明の属する技術分野】
本発明は、スピーカが設置されるとともに、スピーカ共鳴ボックスが一体的に設けられているインストルメントパネルに関する。
【０００２】
【従来の技術】
近年、インストルメントパネルの前端左右にスピーカを取り付けることが提案されている。このように、スピーカをインストルメントパネルに取り付ける構造において、スピーカから発した音を共鳴させるスピーカ共鳴ボックスをインストルメントパネルに一体的に形成したものが、例えば、実願平２?１２７９７５号公報などにより開示されている。
【０００３】
この公報には、図６に示すように、インストルメントパネル０４の上面に凹部０５が形成され、この凹部０５の周辺に４つの係合孔０６が形成され、スピーカ０１をねじ止めしたスピーカグリル０２の係合爪０３を、それぞれ係合孔０６に係合させて、スピーカ０１を取り付けた構造となっており、凹部０５とスピーカグリル０２とにより共鳴ボックスが形成されている。したがって、１回の取付作業でスピーカ０１ならびにスピーカグリル０２を取り付けることができ、作業性に優れている。
【０００４】
【発明が解決しようとする課題】
上述の従来技術にあっては、スピーカ０１をスピーカグリル０２に取り付けているために取付作業性に優れているものの下記の解決すべき課題を有していた。すなわち、スピーカ０１を支持する部材がスピーカグリル０２であり、このスピーカグリル０２がインストルメントパネル０４に対して、係合爪０３による係合で取り付けられており、しかもインストルメントパネル０４それ自体には補強構造が設けられていないため、スピーカ０１の支持剛性が低いとともに、インストルメントパネル０４それ自体の剛性も低くなっている。このため、スピーカ０１により音を発生させたときに、ビビリ音が発生するという問題があった。
また、共鳴ボックスが、インストルメントパネル０４に形成した凹部０５と、インストルメントパネル０４に係合されただけのスピーカグリル０２により形成された構成であったため、共鳴ボックスの密閉性が低く、このため、低音の再現性が十分に得られないという問題があった。
【０００５】
本発明は、上述の従来の問題点に着目してなされたものであり、スピーカの支持剛性の向上を図るとともに、インストルメントパネルにおいてスピーカが設置される部位の剛性の向上を図ることにより、大音量でもビビリ音が発生せず、共鳴ボックスの密閉性を向上させることにより、低音域の再現性と音質の向上を図ることを目的としている。
【０００６】
【課題を解決するための手段】
上述の目的を達成するために、本発明は、インストルメントパネルロアと、このインストルメントパネルロアの上側に被せて溶着されるインストルメントパネルアッパとを備え、前記インストルメントパネルロアの上面左右に、スピーカ用凹部が形成されているとともに、このスピーカ用凹部に沿ってダクト用溝が形成され、前記インストルメントパネルアッパにおいて前記スピーカ用凹部の上方位置にスピーカ用開口部が開口され、前記インストルメントパネルロアの前記スピーカ用凹部の周囲が全周に亘って前記インストルメントパネルアッパに溶着されて共鳴ボックス部が形成されているとともに、前記ダクト用溝の周囲と前記インストルメントパネルアッパとが溶着されて閉断面形状のサイドデフダクトが形成され、前記共鳴ボックス部において、インストルメントパネルアッパとインストルメントパネルロアのいずれかにスピーカが固定されていることを特徴とする。
【０００７】
また、請求項２に記載の発明は、請求項１記載のインストルメントパネルにおいて、前記スピーカを上方から覆うスピーカグリルが設けられ、このスピーカグリルには、インストルメントパネルアッパに形成された係合穴と係合する係合爪が形成され、前記スピーカの外周部には、前記係合爪を挿通させる挿通穴が形成され、前記スピーカが、前記係合爪を挿通穴に挿通させてスピーカグリルと共締め状態でインストルメントパネルアッパに固定されていることを特徴とする。
【０００８】
【発明の作用および効果】
本発明では、インストルメントパネルロアとインストルメントパネルアッパとを溶着させてインストルメントパネルを形成する際に、スピーカ用凹部の周囲を全周に亘って溶着させて共鳴ボックス部を形成するとともに、ダクト用溝の周囲を溶着させて共鳴ボックス部に沿って閉断面のサイドデフダクトを形成させる。このようにして形成した共鳴ボックス部にスピーカを取り付けるにあたり、スピーカは、インストルメントパネルアッパとインストルメントパネルロアのいずれかに固定する。
【０００９】
このように、本発明では、共鳴ボックス部を形成するにあたり、インストルメントパネルロアに形成したスピーカ用凹部の周囲を全周に亘ってインストルメントパネルアッパと溶着させているため、共鳴ボックス部には隙間が形成されることがないとともに、高い剛性とすることができる。さらに、本発明では、共鳴ボックス部に沿って、閉断面形状のサイドデフダクトが一体に形成されて延在されているため、共鳴ボックス部は、このサイドデフダクトにより補強されることになって、さらに高い剛性を得ることができる。
【００１０】
したがって、本発明では、このように高い剛性に形成された共鳴ボックス部のインストルメントパネルアッパもしくはインストルメントパネルロアにスピーカを固定するため、スピーカの支持剛性が高いものであり、大音量でもビビリ音が発生することがないという効果を得ることができる。
加えて、共鳴ボックス部は、高い密閉性を有しているため、低音域の再現性の向上を図ることができるという効果を得ることができる。
【００１１】
さらに、請求項２に記載の発明では、スピーカを固定する際には、スピーカグリルの係合爪をスピーカの外周部に形成された挿通穴に挿通し、さらにこの挿通爪をインストルメントパネルアッパに形成された係合穴に係合させ、スピーカをスピーカグリルと共締め状態で固定する。
したがって、スピーカの固定とスピーカグリルの固定とを同時に行うことができるので、作業性に優れるとともに、インストルメントパネルの上方にフロントガラスが取り付けられて十分な空間が無い場合でも容易に作業を行うことができるという効果を得ることができる。
【００１２】
【発明の実施の形態】
以下に、本発明の実施の形態を図面に基づいて説明する。
【００１３】
（実施の形態１）
まず、実施の形態の構成について説明する。
図２は、本発明実施の形態１のインストルメントパネルを示す斜視図である。
図２において、１はインストルメントパネルで、このインストルメントパネル１は、インストルメントパネルロア２の上側にインストルメントパネルアッパ３を振動溶着させて形成されている。
【００１４】
前記インストルメントパネル１の上面の左右両端部には（図においては、車両左側のみを示している）、前端のコーナ部にスピーカグリル５が取り付けられているとともに、その車両後方位置にサイドデフ吹出口６が設けられている。なお、このサイドデフ吹出口６は、図外の空調装置から図外のフロントドアウインドウの前端部に向けて曇り取り用の送風を行う吹出口である。
【００１５】
次に、前記インストルメントパネル１の溶着構造ならびにスピーカ固定構造について図１に基づいて説明する。
前記インストルメントパネルロア２の上面には、前端部左右のコーナ部に、略三角平面形状のスピーカ用凹部２２が形成されているとともに、スピーカ用凹部２２の三角形の長辺に沿ってダクト用溝２３が形成されている。なお、このダクト用溝２３は、インストルメントパネルロア２の左右両端部に位置する後端部が前記サイドデフ吹出口６の下方に位置するように配置されている。
【００１６】
前記インストルメントパネルアッパ３には、前記スピーカ用凹部２２の上方位置に、前記スピーカ用凹部２２に対応した略三角形状の開口部３２が開口され、この開口部３２の三角形の頂点の近傍位置の３箇所に係合穴３１が形成されている。
【００１７】
図において４はスピーカであり、スピーカ本体４１と、このスピーカ本体４１の外周に設けられた外周フランジ４２を備え、この外周フランジ４２には、各係合穴３１と上下方向に符合する位置の３箇所に挿通穴４３が形成されている。
【００１８】
前記スピーカグリル５の下面には、各係合穴３１ならびに挿通穴４３に符合する位置の３箇所に、前記係合穴３１と係合可能な係合爪５１が形成されている。
【００１９】
図３は、実施の形態のインストルメントパネル１の要部を示す断面図であって、上述したように前記インストルメントパネルアッパ３とインストルメントパネルロア２とは溶着して一体に形成されるものであるが（図においてギザギザ線で示しているのが溶着箇所である）、その際、前記インストルメントパネルロア２のスピーカ用凹部２２の周囲が全周に亘ってインストルメントパネルアッパ３に溶着され、これにより、共鳴ボックス部２１が形成されている。また、インストルメントパネルロア２のダクト用溝２３の周囲にあっても全長に亘ってインストルメントパネルアッパ３に溶着されて、閉断面のサイドデフダクト７が形成されている。
【００２０】
そして、前記スピーカ４は、スピーカ本体４１を、上述のようにして形成された共鳴ボックス部２１の内部に背面を向けて配置するとともに、挿通穴４３と係合穴３１とが符合するようにして外周フランジ部４２をインストルメントパネルアッパ３に重ねて配置させ、その状態でスピーカグリル５の係合爪５１を、挿通穴４３に挿通させて係合穴３１と係合させて、インストルメントパネルアッパ３に固定されている。
【００２１】
本実施の形態１にあっては、上述したように、共鳴ボックス部２１を形成するにあたり、インストルメントパネルロア２に形成したスピーカ用凹部２２の周囲を全周に亘ってインストルメントパネルアッパ３に溶着させているため、共鳴ボックス部２１それ自体の剛性が高いものであり、しかも、共鳴ボックス部２１に沿って閉断面のサイドデフダクト７が一体に形成されているため、このサイドデフダクト７により共鳴ボックス部２１が補強されて、さらに剛性が高いものとなる。そして、このように高い剛性に形成された共鳴ボックス部２１と一体となったインストルメントパネルアッパ３にスピーカ４が固定されているため、スピーカ４の支持剛性が高いものとなっている。
このように、スピーカ４の支持剛性が高く、しかも共鳴ボックス部２１それ自体の剛性も高いため、大音量でもビビリ音が発生することがないという効果を得ることができる。
また、共鳴ボックス部２１を溶着により形成して隙間を無くしたため、低音域の再現性の向上と音質の向上を実現することができるという効果を得ることができる。
さらに、本実施の形態では、スピーカ４をスピーカグリル５の係合爪５１を用いて共締めにより固定するようにしたため、作業性に優れるとともに、固定に要するコストを低減させることができるという効果を奏する。
【００２２】
以下に、他の実施の形態について説明する。なお、これら他の実施の形態は、実施の形態とスピーカ４の固定の態様が異なるものである。また、これら他の実施の形態を説明するにあたり、実施の形態１と同様の構成には、実施の形態１と同じ符号を付けて説明を省略する。
【００２３】
（実施の形態２）
実施の形態２は、スピーカ４ｂをインストルメントパネルロア２ｂに固定した例であって、図４に示すように、実施の形態２のインストルメントパネル１ｂを構成するインストルメントパネルロア２ｂのスピーカ用凹部２２ｂの外周にインストルメントパネルロア２ｂの一般面よりも低くなった支持面２０ｂが形成されている。
【００２４】
スピーカ４ｂは、外周フランジ部４２ｂを支持面２０ｂにねじ８により固定することによりインストルメントパネルロア２ｂに固定されている。
また、スピーカグリル５ｂは、係止爪５１ｂをインストルメントパネルアッパ３ｂに形成された係合穴３１ｂに係合させて固定されている。
【００２５】
この実施の形態２にあっても、共鳴ボックス部２１ｂは、インストルメントパネルロア２ｂに形成したスピーカ用凹部２２ｂの周囲を全周に亘ってインストルメントパネルアッパ３ｂに溶着させて形成しており、かつ、共鳴ボックス部２１ｂに隣設して、閉断面のサイドデフダクト７を一体に形成している。したがって、スピーカ４ｂが剛性の高い共鳴ボックス部２１ｂに固定されているとともに、共鳴ボックス部２１ｂには隙間が形成されていないため、実施の形態１と同様に、大音量でもビビリ音が発生しないという効果、ならびに低音域の再現性の向上と音質の向上を実現することができるという効果を得ることができる。
【００２６】
（実施の形態３）
実施の形態３は、スピーカ４ｃをインストルメントパネルアッパ３ｃにねじ８により固定するようにした例である。
実施の形態３のインストルメントパネル１ｃにおいて、実施の形態１との相違点は、インストルメントパネルロア２ｃにあっては、凹部２２ｃの外側に逃げ穴２４が開口され、インストルメントパネルアッパ３ｃにあっては、前記逃げ穴２４に符合する位置に係合穴３１ｃが開口されている点である。
また、スピーカグリル５ｃにあっては、外周に筒状の脚部５２ｃが形成され、その内側であって前記係合穴３１ｃに符合する位置に係止爪５１ｃが設けられている点が実施の形態１との相違点である。
そして、実施の形態３にあっては、スピーカ４ｃがねじ８によりインストルメントパネルアッパ３ｃに固定されている。
【００２７】
この実施の形態３にあっても、共鳴ボックス部２１ｃは、インストルメントパネルロア２ｃに形成したスピーカ用凹部２２ｃの周囲を全周に亘ってインストルメントパネルアッパ３ｃに溶着させて形成しており、かつ、共鳴ボックス部２１ｃに隣設して、閉断面のサイドデフダクト７を一体的に形成しているため、共鳴ボックス部２１ｃの剛性が高いとともに密閉性が高いものであり、また、この剛性の高い共鳴ボックス部２１ｃのインストルメントパネルアッパ３ｃにスピーカ４ｃをねじ８により固定しているため、高い支持剛性が得られる。
【００２８】
したがって、実施の形態１と同様に、大音量でもビビリ音が発生することがないという効果、ならびに低音域の再現性の向上と音質の向上を実現することができるという効果を得ることができる。
【００２９】
以上、本発明の実施の形態を図面により詳述してきたが、具体的な構成はこの実施の形態に限られるものではなく、本発明の要旨を逸脱しない範囲における設計の変更などがあっても本発明に含まれる。
例えば、実施の形態ではスピーカグリルをインストルメントパネルアッパに固定した例を示したが、スピーカグリルをスピーカに固定するようにしてもよい。
【図面の簡単な説明】
【図１】本発明の実施の形態１のインストルメントパネルを示す分解斜視図である
【図２】本発明の実施の形態１のインストルメントパネルの全体斜視図である。
【図３】実施の形態１の要部を示す断面図である。
【図４】本発明の実施の形態２のインストルメントパネルの要部を示す断面図である。
【図５】本発明の実施の形態３のインストルメントパネルの要部を示す断面図である。
【図６】従来技術を示す分解斜視図である。
【符号の説明】
１    インストルメントパネル
１ｂ    インストルメントパネル
１ｃ    インストルメントパネル
２    インストルメントパネルロア
２ｂ    インストルメントパネルロア
２ｃ    インストルメントパネルロア
３    インストルメントパネルアッパ
３ｂ    インストルメントパネルアッパ
３ｃ    インストルメントパネルアッパ
４    スピーカ
４ｂ    スピーカ
４ｃ    スピーカ
５    スピーカグリル
５ｂ    スピーカグリル
５ｃ    スピーカグリル
６    サイドデフ吹出口
７    サイドデフダクト
２０ｂ    支持面
２１    共鳴ボックス部
２１ｂ    共鳴ボックス部
２１ｃ    共鳴ボックス部
２２    スピーカ用凹部
２２ｂ    スピーカ用凹部
２２ｃ    スピーカ用凹部
２３    ダクト用溝
２４    逃げ穴
３１    係合穴
３１ｂ    係合穴
３１ｃ    係合穴
３２    開口部
４１    スピーカ本体
４２    外周フランジ
４２ｂ外周フランジ
４３    挿通穴
５１    係合爪
５１ｂ    係止爪
５１ｃ    係止爪
５２ｃ    脚部
【図１】
0003693885.tif 000002
【図２】
0003693885.tif 000003
【図３】
0003693885.tif 000004
【図４】
0003693885.tif 000005
【図５】
0003693885.tif 000006
【図６】
0003693885.tif 000007